(57)【要約】【課題】温度センサと対象物とが安定的に接触する回転電機などを提供する。【解決手段】温度センサ２１は、検出対象物である設置部３１の表面上に設けられている。設置部３１は、厚さＴＨ３１を有する。温度センサ２１は、検出素子２３を包むインナケース２４を備える。インナケース２４は、樹脂製である。インナケース２４は、厚さＴＨ２４を有する。温度検出器２０は、温度センサ２１を包むアウタケース２５を備える。アウタケース２５は、樹脂製である。保護温度である閾値温度を含む温度区間において、アウタケース２５の線膨張係数は、設置部３１とインナケース２４との平均的な線膨張係数より小さい。【選択図】図５
2020141464.tif 000002
【特許請求の範囲】
【請求項１】
回転電機の固定子コイル（１２）の一部である設置部（３１）と、
前記設置部に積層方向に関して積層されており、前記設置部の温度が所定の閾値温度（Ｔｔｈ）に到達していることを示す電気信号を出力する検出素子（２３）を含み、前記検出素子を樹脂製のインナケース（２４、２２４、３２４、４２４）により包んでいる温度センサ（２１）と、
前記設置部と前記温度センサとを包む樹脂製のアウタケースであって、前記閾値温度以下の温度区間における線膨張係数（ＡＬ２５）が、前記温度区間における前記設置部の線膨張係数および前記温度区間における前記インナケースの線膨張係数を合成した合成線膨張係数（ＡＬａｖ）より小さく設定されているアウタケース（２５）とを備える回転電機の温度検出器。
【請求項２】
前記閾値温度は、前記固定子コイルを保護するための保護温度である請求項１に記載の回転電機の温度検出器。
【請求項３】
前記温度区間は、前記アウタケースから前記設置部および前記インナケースに作用する押付力が許容値より小さくなる許容温度より高く、前記閾値温度以下である請求項１または請求項２に記載の回転電機の温度検出器。
【請求項４】
前記アウタケースの線膨張係数と前記合成線膨張係数とは、前記許容温度から前記閾値温度に向けて、前記アウタケースから前記設置部および前記インナケースに作用する押付力が増加するように設定されている請求項３に記載の回転電機の温度検出器。
【請求項５】
前記合成線膨張係数は、前記設置部の線膨張係数および前記インナケースの線膨張係数を、前記積層方向における前記設置部の厚さ（ＴＨ３１）と、前記積層方向における前記インナケースの厚さ（ＴＨ２４）とに応じて合成することによって得られる値である請求項１から請求項４のいずれかに記載の回転電機の温度検出器。
【請求項６】
前記合成線膨張係数は、前記設置部の線膨張係数および前記インナケースの線膨張係数を、前記積層方向における前記設置部の厚さ（ＴＨ３１）と、前記積層方向における前記インナケースの厚さ（ＴＨ２４）とに応じて平均化することによって得られる平均線膨張係数である請求項１から請求項５のいずれかに記載の回転電機の温度検出器。
【請求項７】
請求項１から請求項６のいずれかに記載の回転電機の温度検出器と、
前記固定子コイルを有する固定子（１０）と、
前記固定子と磁気的に結合された回転子（４）と、
前記固定子と前記回転子とを収容するハウジング（６）とを備える回転電機。
【請求項８】
さらに、前記電気信号に基づいて、前記設置部の温度が前記閾値温度に到達していることを判定する制御装置（３）とを備える請求項７に記載の回転電機。
【請求項９】
所定の閾値温度（Ｔｔｈ）に到達していることを示す電気信号を出力する検出素子（２３）を含み、前記検出素子を樹脂製のインナケース（２４、２２４、３２４、４２４）により包んでいる温度センサ（２１）を、回転電機の固定子コイル（１２）の一部である設置部（３１）に積層方向に関して積層する積層ステップと、
前記設置部と前記温度センサ（２１）とを包む樹脂製のアウタケース（２５）を成形型（５０）によって成形する成形ステップと、
前記成形型の温度を目標温度（Ｔｔｇ）に制御する型温度制御ステップと、
前記目標温度を超え前記閾値温度以下の温度区間における前記アウタケースの線膨張係数（ＡＬ２５）を、前記温度区間における前記設置部の線膨張係数および前記温度区間における前記インナケースの線膨張係数を合成した合成線膨張係数（ＡＬａｖ）より小さく調整する調整ステップと
を備える回転電機の温度検出器の製造方法。
【請求項１０】
所定の閾値温度（Ｔｔｈ）に到達していることを示す電気信号を出力する検出素子（２３）を含み、前記検出素子を樹脂製のインナケース（２４、２２４、３２４、４２４）により包んでいる温度センサ（２１）を、回転電機の固定子コイル（１２）の一部である設置部（３１）に積層方向に関して積層する積層ステップと、
前記設置部と前記温度センサ（２１）とを包む樹脂製のアウタケース（２５）を成形型（５０）によって成形する成形ステップと、
前記成形型の温度を目標温度（Ｔｔｇ）に制御する型温度制御ステップと、
前記目標温度を超え前記閾値温度以下の温度区間における前記アウタケースの線膨張係数（ＡＬ２５）を、前記温度区間における前記設置部の線膨張係数および前記温度区間における前記インナケースの線膨張係数を合成した合成線膨張係数（ＡＬａｖ）より小さく調整する調整ステップと、
前記閾値温度に到達した場合に、前記回転電機を保護するための保護制御を起動する保護ステップと
を備える回転電機の保護方法。
【発明の詳細な説明】
【技術分野】
【０００１】
この明細書における開示は、回転電機、その温度検出器、その製造方法、および保護方法に関する。
【背景技術】
【０００２】
特許文献１は、コイルの温度を検出するための温度検出素子を開示する。特許文献２−３は、回転電機の固定子を開示する。従来技術として列挙された先行技術文献の記載内容は、この明細書における技術的要素の説明として、参照により援用される。
【先行技術文献】
【特許文献】
【０００３】
【特許文献１】特開２０１３−５１８０７号公報
【特許文献２】特開２０００−１６６１５０号公報
【特許文献３】特開２０１８−１２５９２４号公報
【発明の概要】
【発明が解決しようとする課題】
【０００４】
安定的に温度を検出するために、温度センサと、対象物とは、安定的に接触していることが望ましい。上述の観点において、または言及されていない他の観点において、回転電機、その温度検出器、その製造方法、および保護方法にはさらなる改良が求められている。
【０００５】
開示されるひとつの目的は、温度センサと対象物とが安定的に接触する回転電機、その温度検出器、その製造方法、および保護方法を提供することである。
【課題を解決するための手段】
【０００６】
ここに開示された回転電機の温度検出器は、回転電機の固定子コイル（１２）の一部である設置部（３１）と、設置部に積層方向に関して積層されており、設置部の温度が所定の閾値温度（Ｔｔｈ）に到達していることを示す電気信号を出力する検出素子（２３）を含み、検出素子を樹脂製のインナケース（２４、２２４、３２４、４２４）により包んでいる温度センサ（２１）と、設置部と温度センサとを包む樹脂製のアウタケースであって、閾値温度以下の温度区間における線膨張係数（ＡＬ２５）が、温度区間における設置部の線膨張係数および温度区間におけるインナケースの線膨張係数を合成した合成線膨張係数（ＡＬａｖ）より小さく設定されているアウタケース（２５）とを備える。
【０００７】
開示される回転電機の温度検出器によると、温度センサは、検出素子をインナケースにより包んでいる。アウタケースは、温度検出の対象である設置部と、温度センサとを包んでいる。さらに、アウタケースは、検出素子が検出するべき閾値温度以下の温度区間における線膨張係数が、設置部とインナケースとを含む合成線膨張係数より小さく設定されている。よって、昇温するとアウタケースがインナケースを設置部に押し付ける。閾値温度を含む温度区間において、設置部とインナケースとの接触状態が安定して得られる。この結果、閾値温度を含む温度区間において安定的に設置部の温度が検出される。
【０００８】
ここに開示された回転電機は、上記回転電機の温度検出器と、固定子コイルを有する固定子（１０）と、固定子と磁気的に結合された回転子（４）と、固定子と回転子とを収容するハウジング（６）とを備える。
【０００９】
ここに開示された回転電機の温度検出器の製造方法は、所定の閾値温度（Ｔｔｈ）に到達していることを示す電気信号を出力する検出素子（２３）を含み、検出素子を樹脂製のインナケース（２４、２２４、３２４、４２４）により包んでいる温度センサ（２１）を、回転電機の固定子コイル（１２）の一部である設置部（３１）に積層方向に関して積層する積層ステップと、設置部と温度センサ（２１）とを包む樹脂製のアウタケース（２５）を成形型（５０）によって成形する成形ステップと、成形型の温度を目標温度（Ｔｔｇ）に制御する型温度制御ステップと、目標温度を超え閾値温度以下の温度区間におけるアウタケースの線膨張係数（ＡＬ２５）を、温度区間における設置部の線膨張係数および温度区間におけるインナケースの線膨張係数を合成した合成線膨張係数（ＡＬａｖ）より小さく調整する調整ステップとを備える。
【００１０】
ここに開示された回転電機の保護方法は、所定の閾値温度（Ｔｔｈ）に到達していることを示す電気信号を出力する検出素子（２３）を含み、検出素子を樹脂製のインナケース（２４、２２４、３２４、４２４）により包んでいる温度センサ（２１）を、回転電機の固定子コイル（１２）の一部である設置部（３１）に積層方向に関して積層する積層ステップと、設置部と温度センサ（２１）とを包む樹脂製のアウタケース（２５）を成形型（５０）によって成形する成形ステップと、成形型の温度を目標温度（Ｔｔｇ）に制御する型温度制御ステップと、目標温度を超え閾値温度以下の温度区間におけるアウタケースの線膨張係数（ＡＬ２５）を、温度区間における設置部の線膨張係数および温度区間におけるインナケースの線膨張係数を合成した合成線膨張係数（ＡＬａｖ）より小さく調整する調整ステップと、閾値温度に到達した場合に、回転電機を保護するための保護制御を起動する保護ステップとを備える。
【００１１】
この明細書における開示された複数の態様は、それぞれの目的を達成するために、互いに異なる技術的手段を採用する。請求の範囲およびこの項に記載した括弧内の符号は、後述する実施形態の部分との対応関係を例示的に示すものであって、技術的範囲を限定することを意図するものではない。この明細書に開示される目的、特徴、および効果は、後続の詳細な説明、および添付の図面を参照することによってより明確になる。
【図面の簡単な説明】
【００１２】
【図１】第１実施形態に係る回転電機を示す断面図である。
【図２】固定子コイルを示す回路図である。
【図３】温度センサを示す斜視図である。
【図４】温度検出器を示す平面図である。
【図５】温度検出器を示すＶ−Ｖ線における断面図である。
【図６】温度検出器を示すＶＩ−ＶＩ線における断面図である。
【図７】保護制御を示すフローチャートである。
【図８】温度検出器の製造装置を示す断面図である。
【図９】樹脂成形型の温度制御を示すフローチャートである。
【図１０】線膨張係数を示すグラフである。
【図１１】第２実施形態に係る温度センサを示す斜視図である。
【図１２】第３実施形態に係る温度センサを示す斜視図である。
【図１３】第４実施形態に係る温度センサを示す斜視図である。
【図１４】第５実施形態に係る固定子コイルを示す断面図である。
【図１５】第６実施形態に係る固定子コイルを示す断面図である。
【発明を実施するための形態】
【００１３】
複数の実施形態が、図面を参照しながら説明される。複数の実施形態において、機能的におよび／または構造的に対応する部分および／または関連付けられる部分には同一の参照符号、または百以上の位が異なる参照符号が付される場合がある。対応する部分および／または関連付けられる部分については、他の実施形態の説明を参照することができる。
【００１４】
第１実施形態
図１において、回転電機１は、電動発電機である。回転電機１は、機器の動力系統２（ＰＷＴ）と作用的に連結されている。回転電機１は、動力系統２から供給される動力により発電する発電機として機能することができる。回転電機１は、動力系統２に動力を供給する電動機として機能することができる。回転電機１は、発電機、または電動機でもよい。動力系統２は、内燃機関を含む場合がある。動力系統２は、機器の主要な動力を提供する。この明細書において、機器は、乗り物、空調装置、揚水装置などを含む。さらに、乗り物の語は、車両、船舶、航空機、シミュレーション装置、アミューズメント装置を含む。
【００１５】
回転電機１は、制御装置（ＣＮＴ）３と電気的に接続されている。制御装置３は、インバータ回路を含む。回転電機１は、発電機として機能するとき、動力系統２によって駆動され、電力を出力する。制御装置３は、回転電機１が発電機として利用されるとき、回転電機１から出力される電力を整流する整流回路として機能する。回転電機１は、電動機として機能するとき、動力系統２の回転を支援する。制御装置３は、回転電機１が電動機として利用されるとき、回転電機１に多相交流電力を供給する。この実施形態では、多相交流電力は、三相電力である。
【００１６】
回転電機１は、回転子４および固定子１０を有する。回転子４は、軸ＡＸの周りを回転可能である。固定子１０は、軸ＡＸを有する筒状の部材である。以下の説明において、軸方向、径方向、および周方向の語は、軸ＡＸによって規定される。回転子４と固定子１０とは、ハウジング６に収容されている。ハウジング６は、固定子１０を固定し、かつ回転子４を回転可能に支持している。ハウジング６は、動力系統２の部品を提供する場合がある。例えば、ハウジング６は、クランクケースの一部、またはトランスミッションケースの一部を提供する場合がある。
【００１７】
回転子４は、固定子１０と磁気的に結合されている。回転子４は、シャフト５によって、ハウジング６に対して回転可能に支持されている。シャフト５は、回転軸を提供する。回転軸は、動力系統２に連結されている。回転子４は、固定子１０の径方向内側に配置されている。回転子４は、周方向に沿って配置された複数の磁極を有する。複数の磁極は、回転子４に埋設された複数の永久磁石によって形成されている。回転子４は、多様な構造によって提供することができる。回転子４は、例えば、８個（Ｎ極：４個、Ｓ極：４個）の磁極を有する。
【００１８】
固定子１０は、固定子コア１１を有する。固定子コア１１は、筒状である。固定子コア１１は、円環状でもある。固定子コア１１は、軸方向に沿って積層された複数の鋼板を有する。固定子コア１１は、周方向に配置された複数のスロットを有する。複数のスロットは、周方向に関して、等しいピッチで配置されている。複数のスロットは、いくつかの異なるピッチで配置されていてもよい。複数のスロットは、複数の鋼板を貫通するように、軸方向に延びている。さらに、複数のスロットは、径方向に広がっている。典型的な固定子コア１１は、環状のバックコアを有する。固定子コア１１は、バックコアから径方向内側に延び出す複数のティースを有する。複数のティースは、それらの間に、複数のスロットを形成している。
【００１９】
固定子１０は、固定子コイル１２を有する。固定子コイル１２は、固定子コア１１に装着されている。固定子コイル１２は、ストレート部１３と、コイルエンド１４、１５とを有する。ストレート部１３は、軸方向に沿って真っ直ぐに延びている。ストレート部１３は、スロットに収容されている。コイルエンド１４、１５は、固定子コア１１の端部に位置づけられている。コイルエンド１４、１５は、固定子コア１１から軸方向に突出している。コイルエンド１４、１５は、固定子コイル１２に含まれる複数のセグメント導体の集合体である。コイルエンド１４、１５において、ひとつのセグメント導体は、ひとつのスロット内に位置するストレート部１３を、他の異なるスロット内に位置するストレート部１３に接続している。コイルエンド１４、１５は、連続したセグメント導体のターン部によって提供される場合がある。コイルエンド１４、１５は、異なるセグメント導体を接合した接合部によって提供される場合がある。
【００２０】
ひとつのコイルは、連続線によって、または複数のセグメントを接合することによって提供することができる。この実施形態では、接合された複数のセグメントによって、ひとつのコイルが提供されている。なお、複数のセグメントは、多様な接合手法によって接合することができる。接合手法は、例えば、ＴＩＧ溶接、電気抵抗溶接、はんだ接合などを利用することができる。また、ひとつのコイルは、ひとつの相とみなすことができるコイルである。ひとつのコイルは、その中に、電気角が異なる複数のコイル要素を含んでいてもよい。例えば、ひとつのコイルは、電気角が数度異なる複数のコイル要素を含むことができる。
【００２１】
固定子コイル１２は、結線ユニットを有する場合がある。結線ユニットは、多相結線を形成するように固定子コイル１２を電気的に接続する。結線ユニットは、スター結線、またはデルタ結線を提供するように複数の引出線を接続する。結線ユニットは、複数の結線導体を含む。複数の結線導体は、固定子コイル１２のための接続部材である。複数の結線導体は、導電部材製である。結線ユニットは、スター結線における３つの入出力端（電力端）を提供する端部導体を有する。結線ユニットは、スター結線における中性点を提供する中性点導体を有する。結線導体は、バスバーとも呼ばれる。
【００２２】
回転電機１は、温度検出器２０を備える。温度検出器２０は、固定子コイル１２の温度を検出する。固定子コイル１２の温度は、ストレート部１３、またはコイルエンド１４、１５において検出される。温度検出器２０は、固定子コイル１２を提供する導体の温度を検出する。温度検出器２０は、例えば、コイルエンド１４、１５における導体の表面における温度を検出する。温度検出器２０は、コイルエンド１４、１５における、巻線導体、セグメント導体、または接続導体の表面における温度を検出する。図示の例では、温度検出器２０は、コイルエンド１４における温度を検出している。温度検出器２０は、検出した温度を示す電気信号を出力する。温度検出器２０の検出信号は、制御装置３に入力される。制御装置３は、検出信号が示す温度データをメモリに格納する。制御装置３のプロセッサは、メモリにアクセスすることにより、温度データに応じた制御処理を実行する。
【００２３】
図２は、固定子コイル１２の多相結線を示す。固定子コイル１２は、多相結線としてスター結線を採用している。固定子コイル１２は、Ｕ相、Ｖ相、Ｗ相を有する。固定子コイル１２は、Ｕ相を提供する複数のＵ相コイル１２ｕを有する。固定子コイル１２は、Ｖ相を提供する複数のＶ相コイル１２ｖを有する。固定子コイル１２は、Ｗ相を提供する複数のＷ相コイル１２ｗを有する。固定子コイル１２は、ひとつの相において、ひとつまたは複数の相コイルを備えることができる。また、固定子コイル１２は、複数組の多相結線を備えていてもよい。この実施形態では、固定子コイル１２は、２つのＵ相コイル１２ｕ、２つのＶ相コイル１２ｖ、および２つのＷ相コイル１２ｗを有する。固定子コイル１２は、一組の多相結線を備えている。
【００２４】
複数の結線導体３０は、Ｕ相の電力端を提供するＵ相結線導体３０ｕを有する。Ｕ相結線導体３０ｕは、複数の接合部において、複数のＵ相コイル１２ｕとそれぞれ接続されている。Ｕ相結線導体３０ｕは、対応する電力端子と接続されている。よって、Ｕ相結線導体３０ｕは、２つのＵ相コイル１２ｕを電力端に接続する、いわゆる渡り線を提供している。複数の結線導体３０は、Ｖ相の電力端を提供するＶ相結線導体３０ｖを有する。Ｖ相結線導体３０ｖは、複数の接合部において、複数のＶ相コイル１２ｖとそれぞれ接続されている。Ｖ相結線導体３０ｖは、対応する電力端子と接続されている。よって、Ｖ相結線導体３０ｖは、２つのＶ相コイル１２ｖを電力端に接続する、いわゆる渡り線を提供している。複数の結線導体３０は、Ｗ相の電力端を提供するＷ相結線導体３０ｗを有する。Ｗ相結線導体３０ｗは、複数の接合部において、複数のＷ相コイルとそれぞれ接続されている。Ｗ相結線導体３０ｗは、電力端子と接続されている。よって、Ｗ相結線導体３０ｗは、２つのＷ相コイル１２ｗを電力端に接続する、いわゆる渡り線を提供している。複数の結線導体３０は、中性点結線導体３０ｎを有する。中性点結線導体３０ｎは、スター結線を提供する。ひとつの中性点結線導体３０ｎは、複数の接合部において、複数の相コイル１２ｕ、１２ｖ、１２ｗの中性点のためのコイル端と接合されている。
【００２５】
温度検出器２０は、複数の結線導体３０のひとつに設けられている。図示の例では、温度検出器２０は、Ｕ相結線導体３０ｕに設けられている。温度検出器２０は、Ｕ相結線導体３０ｕの温度を、固定子コイル１２の代表温度として検出する。温度検出器２０は、複数の結線導体３０に設けられていてもよい。この場合、いずれかひとつの温度検出器２０が示す検出温度、または、平均温度を用いることができる。
【００２６】
図３は、温度検出器２０に含まれる温度センサ２１を示す。温度センサ２１は、長手方向ＬＧ、幅方向ＷＤ、厚さ方向ＴＨ（積層方向）を有する。温度センサ２１は、いわゆる直方体状である。温度センサ２１は、いわゆるサーミスタ式温度センサである。温度センサ２１は温度の測定を目的としているため、他の種の温度センサ、例えばＰＴＣサーミスタ、ＮＴＣサーミスタ、リニア抵抗器、熱電対、等でもよい。温度センサ２１は、電気信号を出力するためのリード線２２と、検出素子２３と、インナケース２４とを有する。検出素子２３は、サーミスタである。検出素子２３は、円柱状に図示されているが、直方体状など多様な形状をとることができる。リード線２２は、検出素子２３から延びている。リード線２２は、制御装置３に接続されている。インナケース２４は、樹脂製である。インナケース２４は、リード線２２の一部、および検出素子２３を覆っている。インナケース２４は、リード線２２の一部、および検出素子２３を成形型の中に配置し、それらを覆うように成形型によって成形された型成形品である。インナケース２４は、リード線２２の一部、および検出素子２３をインサート部品とするインサート成形品でも呼ばれる。インナケース２４は、リード線２２の一部、および検出素子２３を包むモールド成形品とも呼ばれる。よって、温度センサ２１は、検出素子２３を樹脂製のインナケース２４により包んでいる。温度センサ２１は、市場において入手可能な多様な温度センサによって提供することができる。
【００２７】
図４は、温度検出器２０を示す。温度検出器２０は、結線導体３０の表面に配置されている。結線導体３０は、結線ユニットに含まれるバスバーである。温度検出器２０は、結線導体３０に代えて、相コイル１２ｕ、１２ｖ、１２ｗを提供する導体の表面に配置されてもよい。結線導体３０は、設置部３１を備える。設置部３１は、回転電機１の固定子コイル１２の一部である。結線導体３０と設置部３１とは、連続する材料によって一体的に形成されている。温度センサ２１は、設置部３１に積層方向ＴＨに関して積層されている。この結果、温度センサ２１は、設置部３１の温度が所定の閾値温度Ｔｔｈに到達していることを示す電気信号を出力する検出素子２３を含む。設置部３１は、温度センサ２１を配置するための設置面を提供している。設置面は、温度センサ２１よりも広い。設置部３１は、結線導体３０より広い幅を有する。設置部３１は、温度検出の対象である対象物を提供する。設置部３１は、結線導体３０の一部に形成されたアイランド部とも呼ばれる。
【００２８】
温度検出器２０は、アウタケース２５を有する。アウタケース２５は、樹脂製である。アウタケース２５は、設置部３１と温度センサ２１とを包む。アウタケース２５は、温度センサ２１のうち、インナケース２４の全体と、リード線２２の一部とを覆っている。アウタケース２５は、設置部３１、および温度センサ２１を成形型の中に配置し、それらを覆うように成形型によって成形された型成形品である。アウタケース２５は、設置部３１、および温度センサ２１をインサート部品とするインサート成形品でも呼ばれる。アウタケース２５は、設置部３１、および温度センサ２１を包むモールド成形品とも呼ばれる。
【００２９】
アウタケース２５は、インナケース２４より大きい。アウタケース２５は、インナケース２４の全体を覆っている。インナケース２４の一部は、アウタケース２５から露出していてもよい。例えば、インナケース２４を規定の位置に保持するための保持ピンとインナケース２４との接触面は、アウタケース２５から露出する場合がある。アウタケース２５は、設置部３１より大きい。アウタケース２５は、設置部３１のすべて、および、結線導体３０の一部を覆っている。ここでも、設置部３１の一部は、アウタケース２５から露出していてもよい。例えば、設置部３１を規定の位置に保持するための保持ピンと設置部３１との接触面は、アウタケース２５から露出する場合がある。
【００３０】
図５は、図４のＶ−Ｖ断面を示す。図６は、図４のＶＩ−ＶＩ断面を示す。図５および図６は、検出素子２３を通る断面を示している。図示されるように、インナケース２４は、設置部３１に接している。インナケース２４が設置部３１に接触することにより、検出素子２３は、設置部３１の温度を高い精度で検出する。設置部３１の温度は、結線導体３０、コイルエンド１４、および固定子コイル１２の温度を直接的に、または間接的に示している。インナケース２４が設置部３１に安定的に接触することにより、検出素子２３は、設置部３１の温度を安定的に検出する。さらに、インナケース２４と設置部３１とは、広い温度区間において、安定的に接触することが望ましい。インナケース２４と設置部３１とは、回転電機１が使用される使用温度区間において、安定的に接触することが望ましい。使用温度区間は、摂氏２０度近傍の常温帯より高い高温度区間である。
【００３１】
設置部３１、インナケース２４、および／または、アウタケース２５が、膨張または収縮すると、設置部３１とインナケース２４との接触強さが変動する。さらに、設置部３１、インナケース２４、および／または、アウタケース２５が、膨張または収縮すると、設置部３１とインナケース２４とが、非接触となる場合もある。この実施形態では、設置部３１とインナケース２４との間において、安定的な接触状態が維持されるように、アウタケース２５の線膨張係数が計画され、実現されている。
【００３２】
結線導体３０は、電気導体用の銅製または銅合金製である。結線導体３０は、アルミニウム製またはアルミニウム合金製でもよい。インナケース２４およびアウタケース２５は、樹脂製である。インナケース２４は、ポリフェニレンサルファイド（ＰＰＳ）樹脂製である。インナケース２４は、エポキシ樹脂製でもよい。インナケース２４は、フッ素樹脂製でもよい。アウタケース２５は、ポリフェニレンサルファイド（ＰＰＳ）樹脂製である。アウタケース２５は、ナイロン系樹脂（例えば、ＰＡ６Ｔ）でもよい。アウタケース２５は、少なくともひとつのフィラーを含む。アウタケース２５は、線膨張係数を調整するために、フィラーを含む場合がある。アウタケース２５は、複数のフィラーを含む場合がある。複数のフィラーは、線膨張係数に関して等方性を示すフィラーと、線膨張係数に関して異方性を示すフィラーを含むことができる。フィラーは、ガラスフィラーなどによって提供される。
【００３３】
図７は、制御装置３がプロセッサによって実行する制御処理１７０を示す。制御装置３は、温度検出器２０によって検出される検出温度Ｔ２０に基づいて、通常制御と、保護制御とを選択的に実行する。制御装置３は、検出温度Ｔ２０と、予め設定されている温度閾値Ｔｔｈとを比較する。制御装置３は、検出温度Ｔ２０が閾値温度Ｔｔｈ未満である場合（Ｔ２０＜Ｔｔｈ）、通常制御を実行する。通常制御では、発電機としての制御、または電動機としての制御が実行される。制御装置３は、検出温度Ｔ２０が、閾値温度Ｔｔｈ以上である場合（Ｔ２０≧Ｔｔｈ）、回転電機１を保護するための保護制御を実行する。保護制御では、固定子コイル１２に流れる電流が制限される。この電流制限は、電流を所定値に制限する場合と、電流をゼロ（０）に制限する場合とを含む。
【００３４】
制御装置３は、ステップ１７１において、温度検出器２０から検出温度Ｔ２０を入力する。検出温度Ｔ２０は、温度データとしてメモリに格納される。プロセッサは、メモリにアクセスすることにより温度データを取得する。制御装置３は、ステップ１７２において、検出温度Ｔ２０と、閾値温度Ｔｔｈとを比較する。検出温度Ｔ２０が閾値温度Ｔｔｈ未満である場合（Ｔ２０＜Ｔｔｈ）、処理は、ＹＥＳに分岐する。検出温度Ｔ２０が閾値温度Ｔｔｈ以上である場合（Ｔ２０≧Ｔｔｈ）、処理は、ＮＯに分岐する。制御装置３は、ステップ１７２によって、設置部３１の温度が閾値温度Ｔｔｈに到達していることを判定する。制御装置３は、ステップ１７３において、通常制御を実行する。制御装置３は、ステップ１７４において、保護制御を実行する。ステップ１７１、１７２、１７４の処理は、検出温度Ｔ２０が閾値温度Ｔｔｈに到達した場合に、回転電機１を保護するための保護制御を起動する保護ステップを提供する。
【００３５】
図８は、温度検出器２０を製造する製造方法において使用される製造装置を示す。温度検出器の製造方法は、アウタケース２５を樹脂成形するための成形型５０を使用する成形工程を含む。製造方法は、成形工程の前に、成形型５０の中に、温度センサ２１と、結線導体３０の設置部３１とを配置する配置工程を含む。製造方法は、成形工程の後に、温度検出器２０が形成された結線導体３０を、コイルエンド１４の一部として組み付ける組み立て工程と含む。成形工程は、成形型５０を閉じることにより成形型５０の内部にキャビティを形成する閉鎖工程を含む。成形工程は、キャビティの中に、アウタケース２５を注入する注入工程を含む。成形工程は、成形型５０を開き、成形された温度検出器付きの結線導体を取り出す取り出し工程を含む。さらに、製造方法は、少なくとも注入工程において、成形型５０の温度を目標温度に維持する温度制御工程を含む。温度制御は、閉鎖工程、注入工程、および取り出し工程に渡って継続的に実行されてもよい。温度制御は、閉鎖工程の前から実行されてもよい。
【００３６】
成形型５０は、第１型５１と、第２型５２とを有する。第１型５１と第２型５２とは、アウタケース２５のためのキャビティ５３を区画する。キャビティ５３の中には、設置部３１と温度センサ２１とが収容される。成形型５０は、樹脂材料を注入するためのゲート５４を備える。ゲート５４は、キャビティ５３の長手方向ＬＧの端部に開口している。ゲート５４は、成形後のアウタケース２５に痕跡を形成する。ゲート５４が長手方向ＬＧの端部に位置することにより、樹脂材料は、主として、長手方向ＬＧに沿って流れる。このとき、フィラーも主として長手方向ＬＧに流れる。この結果、フィラーの長手方向は、長手方向ＬＧに沿って配置される。フィラーの配向方向は、長手方向ＬＧである。
【００３７】
製造装置は、型温度検出器５６を備える。型温度検出器５６は、成形型５０の温度を検出する。成形型５０の温度は、第２型５２において検出される。型温度検出器５６は、検出した温度を示す電気信号を出力する。製造装置は、型制御装置（ＣＮＴ）５７を備える。型温度検出器５６の検出信号は、型制御装置５７に入力される。型制御装置５７は、検出信号が示す温度データをメモリに格納する。型制御装置５７のプロセッサは、メモリにアクセスすることにより、温度データに応じた制御処理を実行する。型制御装置５７は、ヒータ５８の発熱量を制御する。ヒータ５８は、成形型５０の温度を調節する。型温度検出器５６、型制御装置５６、およびヒータ５８は、成形型５０の温度をフィードバック制御するフィードバック制御システムを提供する。
【００３８】
この明細書における制御装置３および型制御装置５７は、電子制御装置（ＥＣＵ：Ｅｌｅｃｔｒｏｎｉｃ  Ｃｏｎｔｒｏｌ  Ｕｎｉｔ）とも呼ばれる場合がある。制御装置、または制御システムは、（ａ）ｉｆ−ｔｈｅｎ−ｅｌｓｅ形式と呼ばれる複数の論理としてのアルゴリズム、または（ｂ）機械学習によってチューニングされた学習済みモデル、例えばニューラルネットワークとしてのアルゴリズムによって提供される。
【００３９】
制御装置は、少なくともひとつのコンピュータを含む制御システムによって提供される。制御システムは、データ通信装置によってリンクされた複数のコンピュータを含む場合がある。コンピュータは、ハードウェアである少なくともひとつのプロセッサ（ハードウェアプロセッサ）を含む。ハードウェアプロセッサは、下記（ｉ）、（ｉｉ）、または（ｉｉｉ）により提供することができる。
【００４０】
（ｉ）ハードウェアプロセッサは、少なくともひとつのメモリに格納されたプログラムを実行する少なくともひとつのプロセッサコアである場合がある。この場合、コンピュータは、少なくともひとつのメモリと、少なくともひとつのプロセッサコアとによって提供される。プロセッサコアは、ＣＰＵ：Ｃｅｎｔｒａｌ  Ｐｒｏｃｅｓｓｉｎｇ  Ｕｎｉｔ、ＧＰＵ：Ｇｒａｐｈｉｃｓ  Ｐｒｏｃｅｓｓｉｎｇ  Ｕｎｉｔ、ＲＩＳＣ−ＣＰＵなどと呼ばれる。メモリは、記憶媒体とも呼ばれる。メモリは、プロセッサによって読み取り可能な「プログラムおよび／またはデータ」を非一時的に格納する非遷移的かつ実体的な記憶媒体である。記憶媒体は、半導体メモリ、磁気ディスク、または光学ディスクなどによって提供される。プログラムは、それ単体で、またはプログラムが格納された記憶媒体として流通する場合がある。
【００４１】
（ｉｉ）ハードウェアプロセッサは、ハードウェア論理回路である場合がある。この場合、コンピュータは、プログラムされた多数の論理ユニット（ゲート回路）を含むデジタル回路によって提供される。デジタル回路は、ロジック回路アレイ、例えば、ＡＳＩＣ：Ａｐｐｌｉｃａｔｉｏｎ−Ｓｐｅｃｉｆｉｃ  Ｉｎｔｅｇｒａｔｅｄ  Ｃｉｒｃｕｉｔ、ＦＰＧＡ：Ｆｉｅｌｄ  Ｐｒｏｇｒａｍｍａｂｌｅ  Ｇａｔｅ  Ａｒｒａｙ、ＳｏＣ：Ｓｙｓｔｅｍ  ｏｎ  ａ  Ｃｈｉｐ、ＰＧＡ：Ｐｒｏｇｒａｍｍａｂｌｅ  Ｇａｔｅ  Ａｒｒａｙ、ＣＰＬＤ：Ｃｏｍｐｌｅｘ  Ｐｒｏｇｒａｍｍａｂｌｅ  Ｌｏｇｉｃ  Ｄｅｖｉｃｅなどとも呼ばれる。デジタル回路は、プログラムおよび／またはデータを格納したメモリを備える場合がある。コンピュータは、アナログ回路によって提供される場合がある。コンピュータは、デジタル回路とアナログ回路との組み合わせによって提供される場合がある。
【００４２】
（ｉｉｉ）ハードウェアプロセッサは、上記（ｉ）と上記（ｉｉ）との組み合わせである場合がある。（ｉ）と（ｉｉ）とは、異なるチップの上、または共通のチップの上に配置される。これらの場合、（ｉｉ）の部分は、アクセラレータとも呼ばれる。
【００４３】
制御装置と信号源と制御対象物とは、多様な要素を提供する。それらの要素の少なくとも一部は、ブロック、モジュール、またはセクションと呼ぶことができる。さらに、制御システムに含まれる要素は、意図的な場合にのみ、機能的な手段と呼ばれる。
【００４４】
この開示に記載の制御部及びその手法は、コンピュータプログラムにより具体化された一つ乃至は複数の機能を実行するようにプログラムされたプロセッサ及びメモリーを構成することによって提供された専用コンピュータにより、実現されてもよい。代替的に、この開示に記載の制御部及びその手法は、一つ以上の専用ハードウエア論理回路によってプロセッサを構成することによって提供された専用コンピュータにより、実現されてもよい。代替的に、この開示に記載の制御部及びその手法は、一つ乃至は複数の機能を実行するようにプログラムされたプロセッサ及びメモリーと一つ以上のハードウエア論理回路によって構成されたプロセッサとの組み合わせにより構成された一つ以上の専用コンピュータにより、実現されてもよい。また、コンピュータプログラムは、コンピュータにより実行されるインストラクションとして、コンピュータ読み取り可能な非遷移有形記録媒体に記憶されていてもよい。
【００４５】
図９は、回転電機の温度検出部の製造方法１８０を示す。この製造方法１８０の後に、制御処理１７０が実行されることにより、回転電機の制御方法が実施される。製造方法１８０は、ステップ１８１において、積層ステップを実施する。ステップ１８１では、温度センサ２１を設置部３１に積層方向ＴＨに関して積層する。
【００４６】
製造方法１８０は、ステップ１８２において、調整ステップを実施する。ステップ１８２では、アウタケース２５を形成する樹脂材料を調整する。調整ステップは、樹脂材料の選定、フィラーの選定、射出温度の調整などを含む。調整ステップは、ステップ１８１の前に実施されてもよい。調整ステップでは、後述の目標温度Ｔｔｇを超え閾値温度Ｔｔｈ以下の温度区間におけるアウタケース２５の線膨張係数ＡＬ２５が調整される。線膨張係数ＡＬ２５は、合成線膨張係数ＡＬａｖより小さく調整される。合成線膨張係数ＡＬａｖは、温度区間における設置部３１の線膨張係数ＡＬ３１および温度区間におけるインナケース２４の線膨張係数ＡＬ２４を合成した値である。合成線膨張係数ＡＬａｖは、平均線膨張係数とも呼ばれる。
【００４７】
製造方法１８０は、ステップ１８３において、成形ステップを実施する。ステップ１８３では、成形型５０の中に、樹脂材料が射出供給される。ステップ１８３は、設置部３１と温度センサ２１とを包む樹脂製のアウタケース２５を成形型５０によって成形する。ステップ１８３は、ステップ１８４を含む。
【００４８】
製造方法１８０は、ステップ１８４において、型温度制御ステップを実施する。ステップ１８４は、成形型５０の温度を目標温度Ｔｔｇに制御する。ステップ１８４は、ステップ１８５−１８７を含む。ステップ１８４は、型制御装置５７のプロセッサによって実行される。型制御装置５７は、ステップ１８５において、型温度検出器５６から検出温度Ｔ５０を入力する。検出温度Ｔ５０は、温度データとしてメモリに格納される。プロセッサは、メモリにアクセスすることにより温度データを取得する。型制御装置５７は、ステップ１８６において、検出温度Ｔ５０と、目標温度Ｔｔｇとを比較する。ここでは、検出温度Ｔ５０を目標温度Ｔｔｇに制御するためのヒータ５８の制御量が演算される。演算処理には、ＰＩＤ制御などを用いることができる。ヒータ５８が電気ヒータである場合、ここでは、ヒータ５８への通電量が演算される。型制御装置５７は、ステップ１８７において、ヒータ５８の発熱を制御する。ここでは、例えば、ヒータ５８に流れる電流が制御される。この結果、成形型５０の温度は、目標温度Ｔｔｇに制御され、維持される。
【００４９】
成形型５０の目標温度Ｔｔｇは、アウタケース２５から、温度センサ２１と設置部３１とに与えられる押付力が許容値より小さくなるように設定されている。押付力は、温度センサ２１と設置部３１とを互いに接触させるように押し付け合う力をいう。よって、目標温度Ｔｔｇは、許容温度とも呼ばれる。言い換えると、成形工程の終期において、キャビティ５３の中に注入されたアウタケース２５は、温度センサ２１と設置部３１とを締め付けて接触させる。さらに、そのときに、アウタケース２５が温度センサ２１と設置部３１とに与える押付力が許容値より小さくなる。成形型５０の目標温度Ｔｔｇは、常温より高い。アウタケース２５が与える押付力は、目標温度Ｔｔｇにおいて許容値より小さくなると考えられる。多くの実施形態では、アウタケース２５が与える押付力は、目標温度Ｔｔｇにおいてゼロ（０）以上である。この結果、成形品を成形型５０から取り出すと、アウタケース２５の温度は、環境温度に向けて低下し、アウタケース２５は収縮する。一方、回転電機１の使用状態においては、アウタケース２５の温度は、上昇する。この実施形態では、温度区間において、アウタケース２５が、温度センサ２１と設置部３１とを安定的に接触させるようにアウタケース２５の線膨張係数ＡＬ２５が設定されている。アウタケース２５は、積層方向ＴＨにおいて、線膨張係数ＡＬ２５を発揮するように調整されている。
【００５０】
製造方法１８０は、ステップ１８８において、取り出しステップを実施する。ステップ１８８は、樹脂成形によって得られた温度検出器２０を成形型５０から取り出す。
【００５１】
図５および図６に戻り、図５および図６は、設置部３１とインナケース２４との積層方向ＴＨにおける厚さを示している。設置部３１は、厚さＴＨ３１を有する。設置部３１は、線膨張係数ＡＬ３１を有する。インナケース２４は、厚さＴＨ２４を有する。インナケース２４は、積層方向ＴＨにおいて、線膨張係数ＡＬ２４を有する。固定子コイル１２の温度を高い精度で検出するためには、設置部３１とインナケース２４との積層方向ＴＨにおける接触が必要である。設置部３１の線膨張係数とインナケース２４の線膨張係数は、それらの合成値として評価することができる。ただし、設置部３１の厚さＴＨ３１とインナケース２４の厚さＴＨ２４とを考慮する必要がある。設置部３１の厚さＴＨ３１とインナケース２４の厚さＴＨ２４とを考慮した場合、合成線膨張係数ＡＬａｖは、およそ下記の数式（１）によって表される。
【００５２】
ＡＬａｖ＝（ＴＨ３１×ＡＬ３１＋ＴＨ２４×ＡＬ２４）／（ＴＨ３１＋ＴＨ２４）・・・（１）
【００５３】
線膨張係数ＡＬ３１は、温度区間における設置部３１の線膨張係数である。線膨張係数ＡＬ２４は、温度区間におけるインナケース２４の線膨張係数である。合成線膨張係数ＡＬａｖは、線膨張係数ＡＬ３１および線膨張係数ＡＬ２４を合成した線膨張係数である。
【００５４】
この実施形態では、成形型５０の目標温度Ｔｔｇから、保護制御が実行される温度閾値Ｔｔｈまでの温度区間において、下記の数式（２）が成立する。
【００５５】
ＡＬ２５＜ＡＬａｖ・・・（２）
【００５６】
すなわち、回転電機１が使用される温度区間、すなわち上記高温温度区間において、アウタケース２５の線膨張係数ＡＬ２５は、合成線膨張係数ＡＬａｖより小さく設定されている。この結果、安定的な温度検出が必要となる温度閾値Ｔｔｈの近傍において、安定的に温度が検出される。この結果、温度閾値Ｔｔｈに基づいて実行される保護制御の信頼性を向上することができる。
【００５７】
図１０は、アウタケース２５の線膨張係数ＡＬ２５と、合成線膨張係数ＡＬａｖを模式的に示すグラフである。許容温度としての目標温度Ｔｔｇと、保護制御のための閾値温度Ｔｔｈとの間は、回転電機１が使用される温度区間Ｔｒｇを示す。温度区画は、上記閾値温度Ｔｔｈを含む。多くの場合、閾値温度Ｔｔｈは、回転電機１の作動上限の近傍に設定されている。よって、閾値温度Ｔｔｈ以下に、温度区間が広がっている。この温度区間におけるアウタケース２５の線膨張係数ＡＬ２５は、合成線膨張係数ＡＬａｖより小さく設定されている。合成線膨張係数ＡＬａｖは、温度区間における設置部３１の線膨張係数ＡＬ３１および温度区間におけるインナケース２４の線膨張係数ＡＬ２４を合成した値である。
【００５８】
閾値温度Ｔｔｈは、固定子コイル１２を保護するための保護温度である。温度区間は、許容温度より高く、閾値温度Ｔｔｈ以下である。許容温度は、アウタケース２５から設置部３１およびインナケース２４に作用する押付力が許容値より小さくなる温度である。許容値は、温度センサ２１が設置部３１の温度を安定的に検出するために必要とされる押付力の値である。許容値は、ゼロ（０）でもよい。これにより、アウタケース２５によって、設置部３１とインナケース２４との接触状態が安定的に維持される。
【００５９】
線膨張係数ＡＬ２５と合成線膨張係数ＡＬａｖとは、許容温度から閾値温度Ｔｔｈに向けて、アウタケース２５から設置部３１およびインナケース２４に作用する押付力が増加するように設定されている。上述のように、合成線膨張係数ＡＬａｖは、線膨張係数ＡＬ３１および線膨張係数ＡＬ２４を、厚さＴＨ３１と、厚さＴＨ２４とに応じて合成することによって得られる値である。言い換えると、合成線膨張係数ＡＬａｖは、線膨張係数ＡＬ３１および線膨張係数ＡＬ２４を、厚さＴＨ３１と、厚さＴＨ２４とに応じて平均化することによって得られる平均線膨張係数である。
【００６０】
線膨張係数ＡＬ２５は、アウタケース２５のフィラーの配向方向にかかわらず、上記（２）式を満たしている。すなわち、線膨張係数ＡＬ２５は、配向方向である長手方向ＬＧと並行な方向において、または、配向方向と直角な方向においても、上記（２）式を満たしている。
【００６１】
典型的な実施形態において、閾値温度Ｔｔｈは、摂氏１５０度以上、摂氏２００度以下の範囲に設定される。この場合、目標温度Ｔｔｇは、摂氏１３０度以上、閾値温度Ｔｔｈ以下に設定される。
【００６２】
以上に述べた実施形態によると、温度センサ２１および対象物は、アウタケース２５の樹脂によって包まれる。温度区間におけるアウタケース２５の線膨張係数ＡＬ２５は、温度区間における合成線膨張係数ＡＬａｖより小さく設定されている。温度区間は、常温を超える高温温度区間である。このため、温度区間において、アウタケース２５は緩みを生じることなく、温度センサ２１と設置部３１との間の接触を維持する。この結果、温度区間において安定的に温度を検出することができる。
【００６３】
第２実施形態
この実施形態は、先行する実施形態を基礎的形態とする変形例である。上記実施形態では、直方体状の温度センサ２１が使用されている。これに代えて、温度センサ２１は、多様な形状によって提供可能である。図１１において、温度センサ２１は、円柱状のインナケース２２４を有する。この実施形態でも、成形型５０の温度を超える使用温度区間において、温度センサ２１と設置部３１との接触状態を安定的に維持することができる。
【００６４】
第３実施形態
この実施形態は、先行する実施形態を基礎的形態とする変形例である。図１２において、温度センサ２１は、楕円柱状のインナケース３２４を有する。インナケース３２４は、インナケース２２４よりも安定的な接触状態を提供する。
【００６５】
第４実施形態
この実施形態は、先行する実施形態を基礎的形態とする変形例である。図１３において、温度センサ２１は、インナケース４２４を有する。インナケース４２４は、設置部３１に対向する平面４２４ａを有する。平面４２４ａは、温度センサ２１と設置部３１との間に安定的な接触状態を提供する。
【００６６】
第５実施形態
この実施形態は、先行する実施形態を基礎的形態とする変形例である。上記実施形態では、温度検出器２０は、出力端を提供するＵ相結線導体３０ｕに設けられている。これに代えて、温度検出器２０は、固定子コイル１２の温度を反映する部位に設けることができる。
【００６７】
図１４において、温度検出器２０は、中性点結線導体３０ｎに設けられ、中性点結線導体３０ｎの温度を検出する。この実施形態でも、固定子コイル１２の温度を検出可能である。
【００６８】
第６実施形態
この実施形態は、先行する実施形態を基礎的形態とする変形例である。図１５において、温度検出器２０は、Ｕ相コイル１２ｕに設けられ、Ｕ相コイル１２ｕの温度を検出する。この実施形態でも、固定子コイル１２の温度を検出可能である。
【００６９】
他の実施形態
この明細書および図面等における開示は、例示された実施形態に制限されない。開示は、例示された実施形態と、それらに基づく当業者による変形態様を包含する。例えば、開示は、実施形態において示された部品および／または要素の組み合わせに限定されない。開示は、多様な組み合わせによって実施可能である。開示は、実施形態に追加可能な追加的な部分をもつことができる。開示は、実施形態の部品および／または要素が省略されたものを包含する。開示は、ひとつの実施形態と他の実施形態との間における部品および／または要素の置き換え、または組み合わせを包含する。開示される技術的範囲は、実施形態の記載に限定されない。開示されるいくつかの技術的範囲は、請求の範囲の記載によって示され、さらに請求の範囲の記載と均等の意味及び範囲内での全ての変更を含むものと解されるべきである。
【００７０】
明細書および図面等における開示は、請求の範囲の記載によって限定されない。明細書および図面等における開示は、請求の範囲に記載された技術的思想を包含し、さらに請求の範囲に記載された技術的思想より多様で広範な技術的思想に及んでいる。よって、請求の範囲の記載に拘束されることなく、明細書および図面等の開示から、多様な技術的思想を抽出することができる。
【００７１】
上記実施形態では、回転電機１は、電動発電機を提供する。これに代えて、回転電機１は、電動機を提供してもよい。この場合、固定子コイル１２は、界磁巻線とも呼ばれる。これに代えて、回転電機１は、発電機を提供してもよい。この場合、固定子コイル１２は、電機子巻線とも呼ばれる。
【００７２】
上記実施形態では、固定子コイル１２は、固定子コア１１の両端にコイルエンド１４、１５を有する。コイルエンド１４は、多様な形態によって提供することができる。ひとつの形態では、固定子コイル１２は、複数の連続導体を巻くことによって形成される場合がある。この場合、コイルエンド１４は、連続線の曲がり部の集合体によって提供される。他のひとつの形態では、固定子コイル１２は、複数のセグメント導体によって提供される場合がある。この場合、コイルエンド１４は、セグメント導体のターン部、または、複数のセグメント導体を接合する接合部によって提供される。セグメント導体は、Ｕ字型、Ｊ時型、またはＩ字型である。このようなコイルエンドの形状は、例えば、特許文献２（特開２０００−１６６１５０号公報）に開示されている。この出願は、特許文献２の全体を参照により援用する。複数のセグメント導体は、コイルエンド１４に配置された複数の接続導体によって接続されてもよい。このようなコイルエンドの形状は、例えば、特許文献３（特開２０１８−１２５９２４号公報）に開示されている。この出願は、特許文献３の全体を参照により援用する。
【００７３】
上記実施形態では、並列接続された複数の相コイルによってひとつの相を提供している。これに代えて、ひとつの相の中に、直列接続を含んでいてもよい。例えば、並列接続された２個の相コイルと、並列接続された２個の相コイルとを直列接続することによって、ひとつの相が提供されてもよい。
【００７４】
上記実施形態では、結線導体３０は、温度センサ２１を搭載するために、設置部３１を有する。これに代えて、設置部３１なしの結線導体３０に温度センサ２１を搭載してもよい。
【００７５】
上記実施形態では、温度センサ２１は、アウタケース２５の中にインサートされている。これに加えて、アウタケース２５の更に外側にケースを備えていてもよい。
【符号の説明】
【００７６】
１  回転電機、  ２  内燃機関、  ３  制御装置、  ４  回転子、
５  シャフト、  ６  ハウジング、  １０  固定子、
１１  固定子コア、  １２  固定子コイル、
１２ｕ、１２ｖ、１２ｗ  相コイル、  １３  ストレート部、
１４、１５  コイルエンド、
２０  温度検出器、  ２１  温度センサ、  ２２  リード線、
２３  検出素子、  ２４  インナケース、  ２５  アウタケース、
３０  結線導体、  ３１  設置部、
５０  成形型、  ５１  第１型、  ５２  第２型、
５３  キャビティ、  ５４  ゲート、  ５６  型温度検出器、
５７  型制御装置、  ５８  ヒータ、
２２４  インナケース、
３２４  インナケース、
４２４  インナケース、  ４２４ａ  平面、
ＴＨ２４  厚さ、  ＴＨ３１  厚さ。
【図１】
2020141464.tif 000003
【図２】
2020141464.tif 000004
【図３】
2020141464.tif 000005
【図４】
2020141464.tif 000006
【図５】
2020141464.tif 000007
【図６】
2020141464.tif 000008
【図７】
2020141464.tif 000009
【図８】
2020141464.tif 000010
【図９】
2020141464.tif 000011
【図１０】
2020141464.tif 000012
【図１１】
2020141464.tif 000013
【図１２】
2020141464.tif 000014
【図１３】
2020141464.tif 000015
【図１４】
2020141464.tif 000016
【図１５】
2020141464.tif 000017